(57)【要約】【課題】外側軸受が、動作によって誘発される荷重の下でロールを堅固にガイドおよび保持し、プロセス中ほとんど摩耗なく動作するロールを提供する。【解決手段】ロール１は、ロール本体２と、ロールジャーナル３とを備えている。外側軸受４が、ロールジャーナル３とともに回転するようにロールジャーナル３に堅固に固定されると共に外側軸受４の軸受外輪７内に静水力学的に装着された軸受内輪６を有する。軸受内輪６は、軸受外輪７内の静水力学的支持要素８を介して取り付けられ、静水力学的支持要素８が、軸受外輪７の内周表面１４及び軸受内輪６の外周表面１０とともに、ポケット要素１１、１５を有する静水力学的取付部を形成する。軸受内輪６の外周表面１０は、球形であると共に、静水力学的支持要素８の球形の軸受表面９、１３および軸受外輪７の同様の球形の内周表面１４と同心状に延びている。【選択図】図２
2004245416.tif 000002
【特許請求の範囲】
【請求項１】
ロール本体と、該ロール本体とともに回転するように前記ロール本体に堅固に接続されたロールジャーナルとを備え、外側軸受が前記ロールジャーナルに取付けられて軸受ハウジング内に支持され、前記外側軸受が、前記ロールジャーナルとともに回転するように前記ロールジャーナルに堅固に固定されると共に前記外側軸受の軸受外輪内に静水力学的に装着された軸受内輪を有する、ロールであって、
前記軸受内輪（６）が、前記軸受外輪（７）内の静水力学的支持要素（８）を介して取り付けられ、前記静水力学的支持要素（８）が、前記軸受外輪（７）の内周表面（１４）及び前記軸受内輪（６）の外周表面（１０）とともに、ポケット要素（１１、１５）を有する静水力学的取付部を形成し、その目的のために、前記軸受内輪（６）の外周表面（１０）が、球形であると共に、前記静水力学的支持要素（８）の球形の軸受表面（９、１３）および前記軸受外輪（７）の同様の球形の内周表面（１４）と同心状に延びていることを特徴とするロール。
【請求項２】
前記軸受内輪（６）の球形の外周表面（１０）が、前記ロールの中央軸上に中心を有する球の球形領域であることを特徴とする請求項１に記載のロール。
【請求項３】
前記静水力学的支持要素（８）が、単一の環状の支持要素であることを特徴とする請求項１または２に記載のロール。
【請求項４】
前記静水力学的支持要素（８）が、円周方向に分散して配置された少なくとも２つの個別の支持要素（８ａ、８ｂ、８ｃ、８ｄ）によって形成されていることを特徴とする請求項１または２に記載のロール。
【請求項５】
前記個別の支持要素（８ａ、８ｂ、８ｃ、８ｄ）のサイズおよび位置が、荷重に適合させることができることを特徴とする請求項４に記載のロール。
【請求項６】
前記静水力学的支持要素（８）が、前記軸受内輪（６）に面した内側の内輪軸受表面（９）上に内側ポケット要素（１１）を収容していることを特徴とする請求項１乃至５のうちいずれか一項に記載のロール。
【請求項７】
前記静水力学的支持要素（８）が、前記軸受外輪（７）に面した外側の外輪軸受表面（１３）上に外側ポケット要素（１５）を収容していることを特徴とする請求項１乃至６のうちいずれか一項に記載のロール。
【請求項８】
前記静水力学的取付部が、前記ポケット要素（１１、１５）に供給するための圧力媒体用の供給ライン（１７、２０）と接続されていることを特徴とする請求項１乃至７のうちいずれか一項に記載のロール。
【請求項９】
前記圧力媒体用の供給ライン（１７、２０）が、それぞれ、制御デバイス（２５、２６）を有し、該制御デバイス（２５，２６）が、圧力媒体の圧力および流れを決定することを特徴とする請求項８に記載のロール。
【請求項１０】
前記ポケット要素（１１、１５）が、それぞれ、圧縮流体の一定体積の流れをポケット要素に加えることができる特徴とする請求項８または９に記載のロール。
【請求項１１】
前記圧力媒体用の供給ライン（１７、２０）が、それぞれ、圧力媒体を選択された温度に設定する温度制御デバイス（２７、２８）を有することを特徴とする請求項８乃至１０のうちいずれか一項に記載のロール。
【請求項１２】
前記供給ライン（２０）が、圧力媒体に作用する圧力衝撃を減衰させるための圧力保存要素（２９）を有することを特徴とする請求項８乃至１１のうちいずれか一項に記載のロール。
【請求項１３】
前記ロール（１）が加熱可能であることを特徴とする請求項１乃至１２のうちいずれか一項に記載のロール。
【請求項１４】
前記ロール本体（２）が、外部の弾力性のカバーを有することを特徴とする請求項１乃至１３のうちいずれか一項に記載のロール。
【発明の詳細な説明】
【技術分野】
【０００１】
本発明は、ロール本体と、ロール本体とともに回転するようにロール本体に堅固に接続されたロールジャーナルとを備え、外側軸受がロールジャーナルに取り付けられて、軸受ハウジング内で支持されている特許請求項１の前提部分に記載のロールに関する。
【背景技術】
【０００２】
本発明は、ロールジャーナルが外側軸受内に回転自在に取り付けられ、外側軸受が、さらに軸受ハウジング内に収容されているロールに関する。外側取付部は、固定式または移動式の保持装置に固定することができ、この保持装置に、外側取付部が、ロールジャーナルに作用する力を伝える。外側軸受は、さらに、ロールが低い摩擦で回転することが確実にできるようにし、ロールを規定の位置に保持する。このタイプのロールは、たとえば、カレンダ装置、カレンダユニット、プレスセクション、紙、パルプのガイドロールおよび偏向ロールおよび印刷機械、または鋼、アルミニウム、プラスチック、織物および類似のもののための圧延装置などの多くの用途に使用されている。
【０００３】
特許文献１は、底部に配置された第１のプレスロールと、頂部に配置された第２のプレスロールとを有するロールプレスを開示している。第１のプレスロールは、回転可能なロール本体と、ロール本体に固定され、減摩軸受を用いて軸受ブロック内に載置されている軸受ジャーナルとを有する。軸受ブロックは、枠様の機械フレーム上に直立している。第２のプレスロールは、円盤を担持する２つの回転自在なカバーに固定された管様の可撓性のプレスカバーを備える、拡張ニッププレスロールとして知られているものである。
【０００４】
このような第１のプレスロールの動作中、動作に起因する荷重が生じ、この荷重は、ロールジャーナルの変形をもたらし、この変形は、その機能を損なうことなしに外側軸受に吸収されなければならない。選択される転がり軸受のタイプは、一般に自己調心ころ軸受であり、アキシャル方向およびラジアル方向の荷重を負荷されて、軸の変形を補償することができる。軸受内輪と軸受外輪の間を転動する転動要素による力の伝達は、転がり摩擦を克服することを必要とする。したがって、転がり軸受は制限された寿命しか有さず、その寿命の後は、予想された荷重下で適切な維持および潤滑が行われてさえいても、交換しなければならない。
【０００５】
経済的な基盤で必要な生産性の増加もまた、機械の速度をさらに増加させる。転がり軸受は、高速で極めて多様な、迅速に変化する荷重条件の下で動作するが、そのとき、転がり軸受内の転動要素の転動の不規則性に悩まされる。ますます使用されている高い温度は、最終的には潤滑状態を悪化させることに貢献する。この結果、高い摩耗および高いコストとなる。特に動作の不具合および操作コストを上昇させるべきでない場合、転がり軸受は、増加する動作条件にもはや対処できない。
【特許文献１】独国特許出願公開第４２４２０２２号明細書(DE4242022A1)
【特許文献２】独国特許発明第３１５１００１号明細書(DE3151001C2)
【発明の開示】
【発明が解決しようとする課題】
【０００６】
したがって、外側軸受が、動作によって誘発される荷重の下でロールを堅固にガイドおよび保持し、プロセス中ほとんど摩耗なく動作する、特許請求項１の前提部分に記載のロールを提供することが、本発明の目的である。
【課題を解決するための手段】
【０００７】
上記目的を達成するため、本発明のうち請求項１に係るロールは、ロール本体と、該ロール本体とともに回転するように前記ロール本体に堅固に接続されたロールジャーナルとを備え、外側軸受が前記ロールジャーナルに取付けられて軸受ハウジング内に支持され、前記外側軸受が、前記ロールジャーナルとともに回転するように前記ロールジャーナルに堅固に固定されると共に前記外側軸受の軸受外輪内に静水力学的に装着された軸受内輪を有する、ロールであって、前記軸受内輪（６）が、前記軸受外輪（７）内の静水力学的支持要素（８）を介して取り付けられ、前記静水力学的支持要素（８）が、前記軸受外輪（７）の内周表面（１４）及び前記軸受内輪（６）の外周表面（１０）とともに、ポケット要素（１１、１５）を有する静水力学的取付部を形成し、その目的のために、前記軸受内輪（６）の外周表面（１０）が、球形であると共に、前記静水力学的支持要素（８）の球形の軸受表面（９、１３）および前記軸受外輪（７）の同様の球形の内周表面（１４）と同心状に延びていることを特徴としている。
【０００８】
本発明のうち請求項２に係るロールは、請求項１記載の発明において、前記軸受内輪（６）の球形の外周表面（１０）が、前記ロールの中央軸上に中心を有する球の球形領域であることを特徴としている。
本発明のうち請求項３に係るロールは、請求項１または２記載の発明において、前記静水力学的支持要素（８）が、単一の環状の支持要素であることを特徴としている。
【０００９】
本発明のうち請求項４に係るロールは、請求項１または２記載の発明において、前記静水力学的支持要素（８）が、円周方向に分散して配置された少なくとも２つの個別の支持要素（８ａ、８ｂ、８ｃ、８ｄ）によって形成されていることを特徴としている。
本発明のうち請求項５に係るロールは、請求項４記載の発明において、前記個別の支持要素（８ａ、８ｂ、８ｃ、８ｄ）のサイズおよび位置が、荷重に適合させることができることを特徴としている。
【００１０】
本発明のうち請求項６に係るロールは、請求項１乃至５のうちいずれか一項に記載の発明において、前記静水力学的支持要素（８）が、前記軸受内輪（６）に面した内側の内輪軸受表面（９）上に内側ポケット要素（１１）を収容していることを特徴としている。
本発明のうち請求項７に係るロールは、請求項１乃至６のうちいずれか一項に記載の発明において、前記静水力学的支持要素（８）が、前記軸受外輪（７）に面した外側の外輪軸受表面（１３）上に外側ポケット要素（１５）を収容していることを特徴としている。
【００１１】
本発明のうち請求項８に係るロールは、請求項１乃至７のいずれか一項に記載の発明において、前記静水力学的取付部が、前記ポケット要素（１１、１５）に供給するための圧力媒体用の供給ライン（１７、２０）と接続されていることを特徴としている。
本発明のうち請求項９に係るロールは、請求項８記載の発明において、前記圧力媒体用の供給ライン（１７、２０）が、それぞれ、制御デバイス（２５、２６）を有し、該制御デバイス（２５，２６）が、圧力媒体の圧力および流れを決定することを特徴としている。
【００１２】
本発明のうち請求項１０に係るロールは、請求項８または９記載の発明において、前記ポケット要素（１１、１５）が、それぞれ、圧縮流体の一定体積の流れをポケット要素に加えることができる特徴としている。
本発明のうち請求項１１に係るロールは、請求項８乃至１０のうちいずれか一項に記載の発明において、前記圧力媒体用の供給ライン（１７、２０）が、それぞれ、圧力媒体を選択された温度に設定する温度制御デバイス（２７、２８）を有することを特徴としている。
【００１３】
本発明のうち請求項１２に係るロールは、請求項８乃至１１のうちいずれか一項に記載の発明において、前記供給ライン（２０）が、圧力媒体に作用する圧力衝撃を減衰させるための圧力保存要素（２９）を有することを特徴としている。
本発明のうち請求項１３に係るロールは、請求項１乃至１２のうちいずれ一項に記載の発明において、前記ロール（１）が加熱可能であることを特徴としている。
【００１４】
本発明のうち請求項１４に係るロールは、請求項１乃至１３のうちいずれか一項に記載の発明において、前記ロール本体（２）が、外部の弾力性のカバーを有することを特徴としている。
すなわち、本目的は、特許請求項１の特徴部分に記載の特徴によって達成される。
本発明は、ロールジャーナルの外側取付部が、軸受内輪と軸受外輪のと間の支持要素の静水力学的な二重取付部によって形成されているロールを提供する。一方では軸受内輪に対して、他方では軸受外輪に対して、荷重支持ポケットの油圧を形成することによって、軸受内での容易な走行がもたらされる。支持要素の両側で圧力媒体によって加圧される圧力ポケットはまた、動作中、衝撃および振動を励起する影響を受けるロールの振動減衰に影響を与える。この場合、圧力媒体は、特に加熱されるロールの場合、軸受の熱膨張をロールジャーナルの熱膨張に適合できるようにするために、軸受の加熱用にも使用することができる。したがって、転がり軸受の場合そうであるように、起こり得るロールジャーナルの熱膨張を補償するために、外側軸受を遊びを有して製造する必要性は除去される。
【００１５】
すべての動作条件の下で、特に高速、かつ高温の熱荷重の下で、またロールに作用する破壊力が生じるとき、このような外側軸受は、低摩耗および動力を削減する動作を可能にする。また、その大きな利点にもかかわらず、本発明によるロールは、その工学的構造の点で驚くほど単純である。
軸受内輪の球形の外周表面に対する支持要素の２つの軸受表面の同心状の球形デザインは、球形領域の中に球形領域を作成することを可能にし、それによって、外側軸受は、ラジアル方向の力およびアキシャル方向の力を吸収することができる。ロール軸の変形は、軸受内輪の外周表面を、支持要素に対して変位させることによって補償することができる。荷重支持ポケット圧力もまた、ここでの容易な走行を確実にする。その結果、動作中に生じる軸の偏向が、必ず生じるであろう軸受内輪の外周表面上での支持幾何形状のいかなる変更もなく、外側軸受によって補償される。
【００１６】
また、外側軸受の軸受表面のすべてが、軸受内輪の球形の外周表面に対してラジアル方向に同心状に走るということによって、すべての動作状態の下で、およびすべての動作に誘発されるロール軸の変形の下で、ロール軸の支持要素が軸受内輪の外周表面から一定の距離を維持することが確実になる。したがって、軸受内輪から静圧力学的支持要素までの距離は、しっかりと固定されて不変にかつ同心に保たれる。
【００１７】
軸受内輪の球状の外周表面および軸受外輪の球状の内周表面を備えるこのような静水力学的二重取付部は、実質上、取付部の保守の容易性および動作の信頼性を改善する。軸受輪の間の不変の距離を固定することの結果、これまで達成することができなかった、外側軸受内のロールジャーナルの取付の正確な品質を達成することができる。
揺動および振動現象の満足な減衰が、さらなる直接的な結果である。このため、ロールは、極端な高速および高温に対して設計される。このことは、新規であり、技術的により効果的な、外側軸受のロールのデザインを可能にする。
【００１８】
減衰プロファイルを設定可能にするために、静水力学的二重取付部の２つの静水力学的取付部を、異なる圧力で動作させることができる。
静水力学的取付部は、それぞれの場合、圧縮流体の一定体積の流れを供給されてもよい。別法として、圧力を制御された圧縮流体の流れを使用してもよい。
外側取付部の調整も、閉制御ループを使用することで、簡単に構成することができる。このループ中で、静水力学的取付部の２つの加圧されたポケット要素は、平衡状態を維持する。そのとき、単一の不良監視装置で十分である。
【００１９】
支持要素は、単一のリング要素、または互いに距離をおいて配置された複数の個別のリング要素によって形成することができる。個別の要素の数および配列を、所望の支持に対して選択することができる。
ロールは、ハードまたはソフトウェアを有することができる。ロールは、加熱可能にすることができる。
本発明のさらなる構成および利点は、副請求項および以下の説明から明らかになるであろう。
添付図面に図示された例示的な実施形態を用いて、本発明を以下でより詳細に説明する。
【発明の効果】
【００２０】
本発明に係るロールによれば、外側軸受が、動作によって誘発される荷重の下でロールを堅固にガイドおよび保持し、プロセス中ほとんど摩耗なく動作するロールを提供することができる。
【発明を実施するための最良の形態】
【００２１】
本発明は、回転中にロールをガイドおよび保持するための、たとえば支持部や枠やレバーやガイドなどの、固定式または移動式の保持装置内に配置された、軸受ハウジング内の支持用の外側取付部を備えるロールに関する。このタイプのロールは、たとえば、好ましくは製品ウェブ、特に紙ウェブを処理するためのカレンダ装置またはプレス加工機で中間ロールまたは相手ロールとして、またはそれ自体ガイドロール、延展ロールまたは移送ロールとして、それぞれの場合、２つのロール間に少なくとも１つの動作間隙を形成するためにデバイス内で使用される。
【００２２】
図１乃至図３は、このようなロール１の第１の例示的な実施形態を示している。ロール１は、ロール本体２を備え、ロール本体２の両端にロールジャーナル３が固定され、あるいはロール本体２と一体で形成されている。ロールジャーナル３は、鋳造、あるいはプレスまたはねじ付けされてもよい。ロールジャーナル３は、ロール本体２とともに回転するように、ロール本体２と堅固に接続されると共に、ロール１の端部部片を形成している。重量を削減するために、ロール本体２を中空にすることができる。ロール１の対象とする用途に応じて、ロール本体２の表面は、極めて広範囲の材料から製造することができる。
【００２３】
２つのロールジャーナル３が、保持デバイス内にロール１を回転自在に配置するための軸受ジャーナルを形成している。この目的のために、２つのロールジャーナル３のそれぞれに、外側軸受４が取り付けられ、外側軸受４が、固定式の軸受ハウジング５を介して支持部またはフレーム２１に固定されている。
各外側軸受４は、ロールジャーナル３のうちの１つの中に堅固に固定されると共に軸受外輪７内に静水力学的に装着された軸受内輪６を備えている。ロールジャーナル３とともに回転するようなロールジャーナル３上の軸受内輪６の配置は、たとえば、キー２２を用いて確実にされてもよい（図２参照）。軸受外輪７は、軸受ハウジング５内に静止するように配置されている。軸受外輪７内で、軸受内輪６の静水力学的取付けは、静水力学的支持要素８を介して達成される。軸受内輪６、軸受外輪７および静水力学的支持要素８は、密封された軸受ユニットを形成する。
【００２４】
静水力学的支持要素８は、内側軸受表面９を有する。この内側軸受表面９は、軸受内輪６に面すると共に、軸受内輪６の外周表面１０とともに第１の静水力学的取付部を形成している。第１の静水力学的取付部はポケット要素１１を備えている。ポケット要素１１は、１つまたは複数の圧力ポケット１２を有することができる。静水力学的支持要素８はまた、外側軸受表面１３を有する。この外側軸受表面１３は、軸受外輪７に面すると共に、軸受外輪７の内周表面１４とともに第２の静水力学的取付部を形成している。第２の静水力学的取付部は、ポケット要素１５を備えている。ポケット要素１５は、１つまたは複数の圧力ポケット１６を有することができる。結果として、静水力学的支持要素８によって、二重の静水力学的取付部が外側軸受４内に作成される。
【００２５】
静水力学的支持要素８は、単一の環状の支持要素、または、互いにある距離をおいて配置された複数の個別の支持要素によって形成することができる。図１乃至図３に図示した第１の例示的な実施形態では、静水力学的支持要素８は、円周上に分散して配置された４つの個別の支持要素によって形成されている。
縁部では、静水力学的支持要素８は、軸受ハウジング５内の軸受空間２３によって支柱なしで横方向に包囲されている。このことは、以下で説明するように、軸受外輪７に対する静水力学的支持要素８の変位を補償する能力を可能にする。
【００２６】
静水力学的二重取付部のポケット要素１１、１５は、図１乃至図３に図示したように、支持要素８上に形成するか、別法として軸受内外輪６、７自体の中に配置するかのいずれかにすることができる。
ポケット要素１１、１５は、静水力のための圧力媒体を供給される。この目的のために、ポケット要素１１は、供給ライン１７を介して圧力媒体源２４と接続され、供給ライン１７は、圧力ポケット１２内へ分岐する。ポケット要素１５は、好ましくはそれ自体の供給ライン２０を介して、同じ圧力媒体源２４またはそれ自体の圧力媒体源と接続され、供給ライン２０は、圧力ポケット１６内へ分岐する。圧力媒体がポケット要素１１、１５へ加えられると、その結果、内側および外側の静水力学的支持軸受が、一方では軸受内輪６の外周表面１０と支持要素８の内側軸受表面９の間に形成され、他方では軸受外輪７の内周表面１４と支持要素８の外側軸受表面１３の間に形成される。
【００２７】
圧力媒体用の供給ライン１７は、好ましくは、密封ピン１８を用いて設けられる。密封ピン１８は、たとえばねじ付けで、軸受外輪７内に固定され、挿入部片、好ましくは弾性材料のシール１９を介して密封される。その結果、供給ライン１７の外部への圧力媒体の出現が防止される。挿入部片は、その変形可能性の範囲内で、変位を補償する能力のための支持要素８の軸受外輪７に対する同心状の変形を確実にし、他方、軸受内輪に対して支持要素８を位置決めするような寸法にされている。
【００２８】
圧力媒体用供給ライン１７、２０は、それぞれ、周知の方法で圧力媒体供給源２４と接続することができる。圧力媒体供給源２４の接続は、それぞれ、制御デバイス２５、２６を介して行われ、制御デバイス２５、２６が、供給ライン１７、２０内への圧力媒体の圧力および流れを決定する。この場合、供給ライン１７、２０は、異なる圧力で供給することができ、したがって、各供給ライン１７、２０は、それ自体の制御デバイス２５、２６を有する。ポケット要素１１、１５が、それぞれ、圧力媒体の一定体積の流れによって作用できることが好ましい。幾何学的に正確な保持および位置決めの目的で、ポケット要素１５は、好ましくは圧力を制御された流れを介して圧力媒体を供給されてもよい。
【００２９】
ポケット要素１１、１５への静水力学的な作用の結果として、静水力学的支持要素８は、軸受内輪６の外周表面１０に十分に繋止され、それによって機械的な位置決め手段を不要にすることができる。
ポケット要素１１、１５内に供給され、静水力学的取付部の潤滑隙間を介して軸受空間２３内に入る圧力媒体は、出口ライン３１を介して運び出される（図１参照）。出口ライン３１は、収集デバイス３２に接続されてもよい。
【００３０】
また、圧力保存要素２９が、好ましくは、圧力媒体供給部２４への供給ライン２０内に組み込まれ、静水力学的取付部上に生じた衝撃圧の結果の、バーリング現象および類似のものなどの、破壊的な振動の場合、ポケット要素１５から変位した圧力媒体を弾性的に吸収することができる。静水力学的に装着されたロールについて、圧力保存要素の機能が、たとえば特許文献２に記載されている。このようにして、動作中起こり得るロール１のチャタリングを補償することができる。静水力学的二重取付部の２つのポケット要素１１、１５内の圧力の個別の、および相互に独立した設定はまた、外側軸受内での追加の適応を可能にする。
【００３１】
また、圧力媒体を加熱または冷却するために、温度制御デバイス２７、２８を供給ライン１７、２０内に組み込むことができる。特に、ロール１が加熱または高温加熱されるとき、その目的のために、加熱ラインがロールジャーナル３を通って導かれ、外側軸受の温度を、所望されるロールジャーナル３の温度に適合させる。ロールジャーナル３および外側軸受４の熱膨張を、このようにして互いに適合させることができ、２つのポケット要素１１、１５内の圧力媒体の温度の個別の、および相互に独立した設定が、外側軸受４自体の追加の適合を可能にする。
【００３２】
ロールジャーナル３とともに回転するように、ロールジャーナル３上に堅固に配置された軸受内輪６は、球形である外周表面１０を有する。この球形の表面は、ロール１の中央軸Ｘ上に中心Ｍを有する。外周表面１０は、中心Ｍ周りの球の一部でしかなく、したがって外周表面１０が球の球形領域を形成する。軸受ジャーナル３とともに回転する、この球形の軸受内輪６は、球形の静水力学的軸受によって支持および位置決めされる。この目的のために、同様に球形である軸受表面９、１３を有する支持要素８が、軸受内輪６の球形の外周表面１０の中心Ｍに対して特に同心にされる。球形であり、中心Ｍに関して同心状に走る軸受外輪７の内周表面１４にも、同じことが適用される。外側軸受４は、アキシャル方向およびラジアル方向の力によって荷重をかけられたロールジャーナル３をガイドおよび支持し、ラジアルおよびアキシャル方向の両方の力を特に吸収する。
すでに説明したように、ロール１は、加熱可能なように設計することができる。ロール１は、ハードロールとして使用することができる。ロール本体２は、ロール１をソフトロールとして形成するために、外部の弾力性のカバーを有することができる。
【００３３】
図３は、例示的な実施形態について、外側軸受４の軸受内輪６と軸受外輪７との間の静水力学的支持要素８の配置を示している。ここで静水力学的支持要素８は、少なくとも２つの個別の支持要素を備え、これら２つの個別の支持要素は、互いにある距離をおいて配置され、円周上に分散されている。静水力学的支持要素８は、たとえば、賦与された力Ｆに対して水平方向および鉛直方向に配列された、４つの個別の支持要素８ａ、８ｂ、８ｃおよび８ｄを備える。
個別の支持要素８の賦与された力Ｆに対する選択可能な配列、および個別の支持要素８のその円周範囲に対する長さを用いて、外側軸受４の支持力を異なるように配列することができる。
【００３４】
図４乃至図６は、個別の支持要素８のさまざまな配置およびサイズを一例として示している。図４による例示的な実施形態の場合、等しいサイズの４つの個別の支持要素８ａ、８ｂ、８ｃ、８ｄが設けられ、賦与された力Ｆに対して対角線上に配置されている。図５による例示的な実施形態の場合、等しいサイズの３つの個別の支持要素８ａ、８ｂ、８ｃが設けられ、１つの個別の支持要素８ｂを賦与された力に対して上部に、および２つの個別の支持要素８ａ、８ｃを底部にして、鉛直方向の配列で配置されている。図６による例示的な実施形態の場合、異なるサイズの２つの個別の支持要素８ａ、８ｂが設けられ、短い個別の支持要素８ｂを賦与された力に対して上部に、および長い個別の支持要素８ａを底部にして、鉛直方向の配列で配置されている。
【図面の簡単な説明】
【００３５】
【図１】外側軸受が長手方向断面で図示された、第１の例示的な実施形態によるロールの長手方向概略図である。
【図２】図１に示された外側軸受の長手方向断面拡大図である。
【図３】図２のＡ−Ａ線に沿うロールの横断面概略図である。
【図４】支持要素の部品要素の数および配列に関するさまざまな実施形態での、図３と同様の横断面概略図である。
【図５】支持要素の部品要素の数および配列に関するさまざまな実施形態での、図３と同様の横断面概略図である。
【図６】支持要素の部品要素の数および配列に関するさまざまな実施形態での、図３と同様の横断面概略図である。
【符号の説明】
【００３６】
１  ロール
２  ロール本体
３  ロールジャーナル
４  外側軸受
５  軸受ハウジング
６  軸受内輪
７  軸受外輪
８、８ａ、８ｂ、８ｃ、８ｄ  静水力学的支持要素
９  内側軸受表面
１０  軸受内輪の外周表面
１１  ポケット要素
１２  圧力ポケット
１３  外側軸受表面
１４  軸受外輪の内周表面
１５  ポケット要素
１６  圧力ポケット
１７、２０  供給ライン
１８  密封ピン
１９  シール
２１  支持部、フレーム
２２  キー
２３  軸受空間
２４  圧力媒体供給源
２５、２６  制御デバイス
２７、２８  温度制御デバイス
２９  圧力保存要素
３１  出口ライン
３２  収集デバイス
【図１】
2004245416.tif 000003
【図２】
2004245416.tif 000004
【図３】
2004245416.tif 000005
【図４】
2004245416.tif 000006
【図５】
2004245416.tif 000007
【図６】
2004245416.tif 000008